(57)【特許請求の範囲】
【請求項１】
印字媒体を回転可能なドラムに静電吸着力または／および負圧吸着力を利用して保持可能かつドラムとともに回転中の印字媒体が印字部を通過する際に印字可能に形成するとともに、
上記印字媒体をドラムから剥離可能な媒体剥離手段を、上記ドラムに保持された印字媒体の長さに対応させてドラムの回転方向に移動可能に設け、
上記媒体剥離手段をドラムに保持された印字媒体の印字終了直後に上記印字媒体の先端側を剥離可能な位置に配設したことを特徴とするインクジェットプリンタ。
【請求項２】
印字媒体を回転可能なドラムに静電吸着力または／および負圧吸着力を利用して保持可能かつドラムとともに回転中の印字媒体が印字部を通過する際に印字可能に形成するとともに、
上記印字媒体をドラムから剥離可能な媒体剥離手段をドラムの回転方向に複数台配設し、
上記ドラムに保持された印字媒体の印字終了直後に上記印字媒体の先端側を剥離可能な位置に配設された前記媒体剥離手段を選択して駆動させることを特徴とするインクジェットプリンタ。
【発明の詳細な説明】
【０００１】
【発明の属する技術分野】
本発明は、印字媒体をドラムに保持させて印字可能なインクジェットプリンタに関する。
【０００２】
【従来の技術】
図５に、インクジェットプリンタの従来構成を示す。
図において、１は印字部，４は給紙部（給紙カセット５，給紙ローラ６），７Ａ，７Ｂは搬送ローラ，９は排紙トレイである。印字部１は、対向配設されたプラテン２と印字ヘッド３とから形成されている。印字ヘッド３は、キャリッジ（図示省略）によって図１中紙面と直交方向に往復移動可能に形成されている。
【０００３】
給紙カセット５内の印字媒体Ｍは、給紙ローラ６によって１枚ずつ送り出され、搬送ローラ（７Ａ，７Ｂ）によって印字部１へ搬送される。印字媒体Ｍは、印字部１を通過する際に印字ヘッド３から吹付けられるインク滴によって印字された後排紙トレイ９に排出される。
【０００４】
ここにおいて、印字媒体Ｍは、印字される際にプラテン２にしっかりと固定されてはいないので、印字ヘッド３の往復移動等に伴い発生する振動によって高品質印字できないことがある。
【０００５】
そこで、図６に示す如く、回転可能なドラム１０の外周面１１に印字媒体Ｍを静電吸着力や負圧吸着力を利用して保持して印字を行うインクジェットプリンタを本出願人は先に提案している（特願平８−２９６９５９号等）。
【０００６】
図６において、印字部１は、印字ヘッド３と，該印字ヘッド３と対向するドラム１０の外周面部分１１ａとから形成されている。８は、印字媒体Ｍをドラム１０から剥離するための剥離爪である。
【０００７】
かかるインクジェットプリンタでは、印字部１を通過した印字媒体Ｍの先端は、ドラム１０の外周面１１に当接した剥離爪８によって当該外周面１１から剥離される。剥離後、印字媒体Ｍは搬送ローラ７Ｂによって排紙トレイ９に排出される。
【０００８】
【発明が解決しようとする課題】
ところで、上記先提案のインクジェットプリンタにおいて、より一層の印字高速化を図るには、高速回転中のドラム１０に印字媒体Ｍを迅速に保持可能とするとともに、印字媒体Ｍの剥離の迅速化も必要である。しかし、剥離を迅速化する程に印字品質に乱れが生じることがある。
【０００９】
本発明の目的は、高品質印字を確保しつつ印字媒体をドラムから迅速に剥離することができるインクジェットプリンタを提供することにある。
【００１０】
【課題を解決するための手段】
本願発明のインクジェットプリンタは、上述した課題を解決するために、請求項１に記載したように、印字媒体を回転可能なドラムに静電吸着力または／および負圧吸着力を利用して保持可能かつドラムとともに回転中の印字媒体が印字部を通過する際に印字可能に形成するとともに、上記印字媒体をドラムから剥離可能な媒体剥離手段を、上記ドラムに保持された印字媒体の長さに対応させてドラムの回転方向に移動可能に設け、上記媒体剥離手段をドラムに保持された印字媒体の印字終了直後に上記印字媒体の先端側を剥離可能な位置に配設したものである。
【００１１】
かかる発明では、印字媒体の長さに対応して媒体剥離手段をドラムの回転方向に移動させることにより、ドラムに保持された印字媒体の印字終了後に当該印字媒体の先端側を剥離可能な位置に位置決めできる。印字媒体は回転中のドラムに静電吸着力または／および負圧吸着力を利用して保持され、印字部を通過する際に印字される。
【００１２】
したがって、印字媒体の長さに迅速かつ容易に追従することができ適用性の拡大を図ることができる。印字終了直後、印字媒体の先端部がドラムから剥離される。
【００１３】
このように、印字媒体は、印字が終了するまではドラムに保持され、終了後直ちに剥離されるので、印字中に静電吸着力または／および負圧吸着力が変化して保持力に微妙な影響を与えるような事態は生じない。したがって、印字乱れを防止して印字媒体を迅速に剥離することができる。
【００１５】
本願発明のインクジェットプリンタは、上述した課題を解決するために、請求項２に記載したように、印字媒体を回転可能なドラムに静電吸着力または／および負圧吸着力を利用して保持可能かつドラムとともに回転中の印字媒体が印字部を通過する際に印字可能に形成するとともに、上記印字媒体をドラムから剥離可能な媒体剥離手段をドラムの回転方向に複数台配設し、上記ドラムに保持された印字媒体の印字終了直後に上記印字媒体の先端側を剥離可能な位置に配設された前記媒体剥離手段を選択して駆動させるようにしたものである。
【００１６】
かかる発明では、ドラムに保持される印字媒体の長さに対応した位置に配設された媒体剥離手段を選択して駆動することにより、印字媒体の印字終了後に直ちにその先端側を確実に剥離することができる。したがって、請求項１の発明の場合と同様な作用効果を奏し得るとともに、適用性の拡大を図ることができる。
【００１７】
【発明の実施の形態】
以下、本発明の実施形態を図面を参照して説明する。
（第１の実施形態）
本インクジェットプリンタは、図１および図２に示す如く、媒体保持手段２０と媒体剥離手段１４０とを有し、ドラム１０に保持された印字媒体Ｍを印字終了直後に当該印字媒体Ｍの先端側を剥離可能に構成されている。
【００１８】
なお、本インクジェットプリンタは、先提案（特願平８−２９６９５９号等）のインクジェットプリンタと同様な構造とされている。
【００１９】
媒体保持手段２０は、印字媒体Ｍを回転可能なドラム１０に静電吸着力または／および負圧吸着力を利用して保持する手段である。
【００２０】
負圧吸着保持は、図２に示す負圧吸着保持手段２１で行われる。負圧吸着保持手段２１は、ドラム１０を内外に貫通する複数の吸込孔１２と，ドラム１０内に負圧を確立する負圧確立手段３１とを含み、印字媒体Ｍをドラム外周面１１に負圧吸着保持可能に形成されている。
【００２１】
負圧確立手段３１は、ドラム１０側の吸込口１４に対応する対応吸込口３４と，この対応吸込口３４からダクト３５を介してドラム内部空間１６内に負圧を確立するために空気を吸込む吸込ファン３２とから形成されている。
【００２２】
吸込口１４はドラム１０の側端板（端面）１５Ｒに設けられ、対応吸込口３４は吸込口１４に対応されかつ本体ケース１内のブラケット５Ｒに固定配設されている。ドラム１０（１５Ｒ）と負圧確立手段３１（５Ｒ）とは、ドラム軸線方向に接近するが非接触とされている。側端板（端面）１５Ｌは盲板である。なお、図４で、１０Ｓはドラム１０の回転軸である。
【００２３】
静電吸着保持は、図１に示す帯電手段５１で行われる。帯電手段５１は、印字媒体Ｍを正電荷で帯電させ、アースされたドラム１０との間に発生する電荷吸着力を利用して印字媒体Ｍをその外周面１１に吸着保持する。
【００２４】
媒体剥離手段１４０は、印字媒体Ｍをドラム１０の外周面１１から剥離する手段であり、ドラム１０に保持された印字媒体Ｍの印字終了後にその先端部を剥離可能な位置に配設されている。この実施形態では、媒体剥離手段１４０は、剥離爪１４１と，剥離爪駆動手段１４２とを含み、剥離爪１４１をドラム外周面１１と印字媒体Ｍとの間に割り込ませて該印字媒体Ｍを当該外周面１１から剥離可能に形成されている。
【００２５】
具体的には、剥離爪１４１は、印字部１からドラム外周面１１に沿って長さＬ１だけ離れた位置に支軸１４９を中心として回動可能に設けられている。ここにおいて、上記長さＬは、ドラム１０に保持された印字媒体Ｍの印字終了後にその先端部を剥離爪１４１で剥離できるように選定されている。
【００２６】
剥離爪駆動手段１４２は、アクチュエータ１４３およびスプリング１４４から形成されている。スプリング１４４は、剥離爪１４１を図１で反時計回り方向に付勢して当該剥離爪１４１の先端部１４１ａがドラム外周面１１から離隔する位置（待機位置）に位置決め保持している。また、剥離爪１４１の中央部にはアクチュエータ１４３が接続しており、当該剥離爪１４１をスプリング１４４の付勢力に抗して回動させて先端部１４１ａがドラム外周面１１に接触する位置に位置決め保持可能とされている。
【００２７】
したがって、アクチュエータ１４３を駆動することにより、剥離爪１４１をその先端部１４１ａがドラム外周面１１と接触した位置に位置決め保持することができ、アクチュエータ１４３の駆動を停止することにより剥離爪１４１はスプリング１４４の付勢力によってその先端部１４１ａがドラム外周面１１と離隔した位置（待機位置）に位置決め保持することができる。
【００２８】
かかる構成により、印字媒体Ｍは回転中のドラム１０に静電吸着力および負圧吸着力を利用して保持され、印字部１を通過する際に印字される。印字終了直後、印字媒体Ｍの先端部が剥離爪１４１によってドラム１０から剥離される。このように、印字媒体Ｍは、印字が終了するまではドラム１０に保持され、終了後直ちに剥離されるので、印字中に静電吸着力，負圧吸着力が変化して保持力に微妙な影響を与えることはなくなる。したがって、印字乱れを防止して印字媒体Ｍを迅速に剥離できる。
【００２９】
（第２の実施形態）
第２の実施形態は、位置調節手段１４５を設け、媒体剥離手段１４０をドラム１０の回転方向にドラム１０に保持された印字媒体Ｍの長さに対応させて移動可能に形成されている。
【００３０】
位置調節手段１４５は、剥離爪１４１を保持しかつドラム外周面１１に沿って移動可能な従動ギヤ部材１４６と，この従動ギヤ部材１４６と噛合して回転力を伝達可能な駆動ギヤ部材１４７と，駆動ギヤ部材１４７を回転駆動可能なモータ１４８と，剥離爪１４１の位置を検出可能なセンサ１４９Ｓとを含み、剥離爪１４１をドラム外周面１１に沿って移動させて位置調節可能に形成されている。
【００３１】
かかる構成では、印字媒体Ｍは、回転中のドラム１０に静電吸着力および負圧吸着力を利用して保持され、印字部１を通過する際に印字される。印字中、剥離爪１４１は待機位置に位置決めされているので、印字媒体Ｍと接触するようなことはなく、静電吸着力および負圧吸着力が変化することはない。その結果、印字乱れは発生しない。
【００３２】
印字終了後、例えば、印字媒体Ｍの後端が印字部１を通過直後、直ちにアクチュエータ１４３が駆動されて剥離爪１４１の先端部１４１ａがドラム外周面１１と接触される。これにより、剥離爪１４１の先端部が印字媒体Ｍとドラム外周面１１との間に割り込み印字媒体Ｍは剥離される。
【００３３】
剥離された印字媒体Ｍは、排紙トレイ９に収容される。ここにおいて、現在印字中の印字媒体Ｍとは長さの異なる印字媒体Ｍを印字する際には、プリンタの操作スイッチ又は印字媒体Ｍの搬送経路中に設けられたセンサ（図示省略）の検出結果の基づき位置調節手段１４５を駆動して、当該印字媒体Ｍの長さに対応した位置に剥離爪１４１を位置決め保持する。これにより、ドラム１０に保持された印字媒体Ｍの印字終了直後に印字媒体Ｍの先端側を剥離爪１４１によって確実に剥離することができる。
【００３４】
したがって、印字媒体の長さが異なっても印字乱れを生じさせることなく印字媒体Ｍをドラム１０から剥離することができる。
【００３５】
（第３の実施形態）
第３の実施形態は、図４に示す如く、複数台（例えば、３台）の媒体剥離手段１４０をドラム１０の回転方向に離隔配設した構成とされている。各媒体剥離手段１４０は、長さが異なる３種類の印字媒体Ｍに対応して設けられたもので，各対応する印字媒体Ｍがドラム１０に保持された状態で印字された後直ちに当該印字媒体Ｍの先端部を剥離可能な位置に配設されている。
【００３６】
したがって、印字媒体Ｍの種類に応じて、３つの媒体剥離手段１４０のうち対応するものを選択駆動することにより、印字乱れを生じさせることなく、印字媒体をドラム１０から迅速に剥離することができる。
【００３７】
なお、上記第１〜第３の実施形態では、媒体剥離手段１４０を剥離爪１４１から形成したが、電気的に印字媒体Ｍをドラム１０から剥離するために帯電手段５１の印加極性と逆極性の電圧を印加する除電チャージャーでもよく、静電吸着力を利用して印字媒体Ｍを保持したときに有効である。
【００３８】
【発明の効果】
本願発明に係るインクジェットプリンタによれば、ドラムに保持された印字媒体の印字終了直後に当該印字媒体先端部を剥離可能な位置に媒体剥離手段を配設したので、印字乱れを生じさせることなく印字媒体をドラムから迅速に剥離することができる。
【００３９】
また、請求項１の発明によれば、媒体保持手段をドラムの外周面に沿って移動させて位置調節できるようにしたので、印字媒体の長さが異なっても印字乱れを生じさせることなく印字媒体Ｍをドラムから剥離することができる。
【００４０】
さらに、請求項２の発明によれば、媒体剥離手段の複数台をドラムの回転方向に配設したので、ドラムに保持された印字媒体に対応する媒体隔離手段を選択的に駆動させることにより、印字終了直後に当該印字媒体の先端側を剥離することができる。したがって、請求項１の発明の場合と同様な効果を奏するとともに、適用性の拡大を図れる。
【図面の簡単な説明】
【図１】本発明の第１の実施形態を説明するための図である。
【図２】同じく、負圧吸着保持手段を説明するための図である。
【図３】本発明の第２の実施形態を説明するための図である。
【図４】本発明の第３の実施形態を説明するための図である。
【図５】インクジェットプリンタの従来例を説明するための図である。
【図６】先提案のインクジェットプリンタを説明するための図である。
【符号の説明】
１０  ドラム
１１  外周面
１２  吸込孔
２０  媒体保持手段
２１  負圧吸着保持手段
３１  負圧確立手段
５１  帯電手段
１４０  媒体剥離手段
１４１  剥離爪
１４５  位置調節手段
【図１】
0003614590.tif 000002
【図２】
0003614590.tif 000003
【図３】
0003614590.tif 000004
【図４】
0003614590.tif 000005
【図５】
0003614590.tif 000006
【図６】
0003614590.tif 000007